(57)【要約】      （修正有）【課題】脱毛防止、発毛促進を向上させる頭皮刺激棒付き育毛剤容器を提供する。【解決手段】容器本体上部に結合する蓋体２０内の中央にノズル孔２１を形成し、蓋体２０上部に結合する頭皮刺激手段３０の中央に組立孔３１を形成し、蓋体２０のノズル孔２１と頭皮刺激手段３０の組立孔３１とを貫通して頭皮刺激手段３０の上方へ突出するノズル開閉手段４０を挿設する。頭皮を叩くに際してノズル開閉手段４０が弾発バネを圧縮しながら加圧作動を行うように構成されており、ノズル開閉手段４０下部に形成する遮断板４４の外周が、ノズル孔２１の外側に形成するテーパ状の傾斜部２１ａに線接触して気密遮断するが、ノズル開閉手段４０の加圧によって即座に開放されて薬液を排出し、薬液が蓋体２０の中央の傾斜部２１ａ−ノズル孔２１を通過して、頭皮刺激手段３０の円周上に形成された多数の薬液排出孔３３から四方に分散排出されて頭皮に均等に塗布される。【選択図】図４
0003221929.tif 000002
【実用新案登録請求の範囲】
【請求項１】
容器本体（１０）上部に結合する蓋体上部の頭皮刺激手段で頭皮を叩くことにより、ノズル孔を開放しながら薬液を排出するとともに頭皮を刺激する頭皮刺激棒付き育毛剤容器において、
前記蓋体（２０）内の隔壁（２２）の中央にノズル孔（２１）を形成し、
前記蓋体上部に結合する、多数の頭皮刺激棒（３２）が突設された頭皮刺激手段（３０）の中央に組立孔（３１）を形成し、外側に薬液を分散排出する薬液排出孔（３３）を形成し、
前記蓋体のノズル孔（２１）と前記頭皮刺激手段の組立孔（３１）とを貫通して頭皮刺激手段の上方へ突出するノズル開閉手段（４０）を挿設して、頭皮を叩くに際して弾発バネを圧縮しながら加圧動作を行うように構成し、
前記蓋体の隔壁（２２）にはノズル孔の外側にテーパ状の傾斜部（２１ａ）を形成し、
前記ノズル開閉手段下部に遮断板（４４）を形成することで、前記遮断板の外周が前記傾斜部に線接触して気密遮断するが、ノズル開閉手段が加圧動作を行うと即座に開放されるように構成したことを特徴とする、頭皮刺激棒付き育毛剤容器。
【請求項２】
前記ノズル開閉手段（４０）は、
頭皮刺激手段の組立孔（３１）に挿入される第１部材（４１）と、蓋体のノズル孔（２１）に挿入され、下部に遮断板（４４）を有する第２部材（４３）と、を備え、前記第１部材と前記第２部材とを上下に結合するように構成し、
前記第１部材（４１）下部と蓋体内の隔壁（２２）との間に挿設され、第１部材を弾支する弾発バネ（４５）を備えることを特徴とする、請求項１に記載の頭皮に刺激棒付き育毛剤容器。
【請求項３】
前記第２部材（４３）の外側には、円周上の等角位置に上下長手方向に沿って薬液を分散して排出する薬液排出案内溝（４３ｂ）を形成することを特徴とする、請求項２に記載の頭皮刺激棒付き育毛剤容器。
【考案の詳細な説明】
【技術分野】
【０００１】
本考案は、育毛剤容器に関し、さらに詳しくは、頭皮を叩くことによりノズル孔を開放して脱毛ケア薬液を排出するとともに頭皮を刺激することになり、これにより血液の循環及び薬液の吸収を促進し、その結果、脱毛防止、発毛促進を向上させる頭皮刺激棒付き育毛剤容器に関する。
【背景技術】
【０００２】
周知の如く、人間の頭皮は、皮膚と同様に、一般的に表皮、真皮、皮下組織で構成されているが、他の皮膚組織とは異なり、頭皮には余分な油分が皮脂腺から供給され、毛髪を生産する毛包が分布されており、毛包の中の毛母細胞には寿命があり、そのためヘアサイクル（毛周期）がある。髪の毛はヘアサイクルに従って成長と脱落を繰り返していると知られている。
【０００３】
毛髪は自然な成長と自然な脱落を繰り返している。頭皮から抜け落ちていく毛が成長している毛よりはるかに多くなると、脱毛が生じ、一日８０本以上の抜け毛が見られるときには脱毛症を疑う必要がある。
【０００４】
特に、様々な要因により、脱毛（脱毛症）に悩む現代人が急増しており、最終的に禿頭になる場合も多い。このような脱毛には、各種公害、過度のストレスや遺伝的な要因もあるが、パーマや染色、ムースやスプレーなどにより毛根が弱くなる原因も無視できない。
【０００５】
したがって、上述した脱毛の進行を防止するために様々な方法を講じているが、主に頭皮ケア薬液を容器に入れて吐出手段によって頭皮に噴射することにより、頭皮の毛根が含まれている皮下の血管を拡張させたり毛髪に栄養を供給したりする方法が提案されている。
【０００６】
このように、従来では、頭皮ケア薬液を頭皮に塗布した後、指で頭皮をマッサージするか、別途のマッサージツールを使って頭皮を軽く叩いてマッサージすることから、使用者が薬液容器とマッサージツールを別途使用しなければならないため、使用する際に非常に面倒となる。
【０００７】
このような従来技術の問題を解決するためのものとして、頭皮ケア薬液を貯留する容器上部に吐出手段とブラシのようなマッサージツールを一体化して、頭皮に薬液を塗布するとともに頭皮をマッサージする製品が、特許文献１などに開示されている。しかしながら、かかる従来の技術によれば、容器上部で頭皮を叩くに際して、すなわち、容器上部の吐出手段とマッサージツールが頭皮に接触するとき、ノズルが即座に開放動作を行うことができないとともに、薬液を円滑に排出することができなかった。しかも、薬液を定量吐出することができないし、かつ、前記薬液を頭皮に均等に分散供給することができないため、使用効率性が落ちるという問題があった。さらに普段の気密性もよくないため、薬液の漏れによる様々な問題を引き起こした。
【０００８】
また、上記従来技術は、多数の部品を複雑に組み立てる構造をとっているので、製造および組立の生産性が低下し、これにより製造コストが高くなって、最終的に商品の競争力低下をもたらすという問題があった。
【先行技術文献】
【特許文献】
【０００９】
【特許文献１】韓国公開特許第１０−２０１０−０１０８８９１号
【考案の概要】
【考案が解決しようとする課題】
【００１０】
本考案は、上記従来技術の諸問題を解決するためになされたものであり、その目的は、容器本体と、前記容器本体上部に結合する蓋体と、前記蓋体上部に結合する頭皮刺激手段と、前記頭皮刺激手段の中央に結合するノズル開閉手段と、を含み、前記ノズル開閉手段で頭皮を叩くに際して加圧されて薬液を排出するように構成されており、普段は薬液の漏れを防止する気密構造を有するが、ノズル開閉手段で頭皮を叩くに際して即座に薬液を頭皮に円滑に排出することはもとより、四方に均等に分散排出することにより、優れた使用効率性を有する頭皮刺激棒付き育毛剤容器を提供することにある。
【００１１】
本考案の他の目的は、蓋体、頭皮刺激手段及びノズル開閉手段の構造を簡単にするとともに、組み立て構造をも簡単にすることにより、優れた製造生産性、組立生産性及び経済性を有する頭皮刺激棒付き育毛剤容器を提供することである。
【課題を解決するための手段】
【００１２】
このような本考案は、容器本体上部に結合する蓋体上部の頭皮刺激手段を頭皮に叩くことにより、ノズル孔を開放しながら薬液を排出するとともに頭皮を刺激するように構成するにあたり、前記蓋体内の隔壁の中央にノズル孔を形成し、前記蓋体上部に結合する、多数の頭皮刺激棒が突設された頭皮刺激手段の中央に組立孔を形成し、外側に薬液を分散排出する薬液排出孔を形成し、前記蓋体のノズル孔と前記頭皮刺激手段の組立孔とを貫通して頭皮刺激手段の上方へ突出するノズル開閉手段を挿設して、頭皮を叩くに際して弾発バネを圧縮しながら加圧動作を行うように構成し、前記蓋体の隔壁にはノズル孔の外側にテーパ状の傾斜部を形成し、前記ノズル開閉手段下部に遮断板を形成することで、前記遮断板の外周が前記傾斜部に線接触して気密遮断するが、ノズル開閉手段が加圧作動を行うと即座に開放されるように構成することを特徴とする。
【００１３】
本考案において、前記ノズル開閉手段は、頭皮刺激手段の組立孔に挿入される第１部材と、蓋体のノズル孔に挿入され、下部に遮断板を有する第２部材と、を備え、前記第１部材と前記第２部材とを上下に結合するように構成し、前記第１部材下部と蓋体内の隔壁との間に挿設され、第１部材を弾支する弾発バネを備えることを特徴とする。
【００１４】
本考案において、前記第２部材の外側には、円周上の等角位置に上下長手方向に沿って薬液を分散して排出する薬液排出案内溝を形成することを特徴とする。
【考案の効果】
【００１５】
このような本考案は、容器本体上部に結合する蓋体内の中央にノズル孔を形成し、前記蓋体上部に結合する頭皮刺激手段の中央に組立孔を形成し、前記蓋体のノズル孔と前記頭皮刺激手段の組立孔とを貫通して頭皮刺激手段の上方へ突出するノズル開閉手段を挿設することで、頭皮を叩くに際してノズル開閉手段が弾発バネを圧縮しながら加圧作動を行うように構成されており、前記ノズル開閉手段下部に形成する遮断板の外周が、前記ノズル孔の外側に形成するテーパ状の傾斜部に線接触して気密遮断するが、ノズル開閉手段の加圧によって即座に開放されて薬液を排出し、前記薬液が蓋体の中央の傾斜部−ノズル孔を通過して、頭皮刺激手段の円周上に形成された多数の薬液排出孔から四方に分散排出されて頭皮に均等に塗布されることから、優れた使用効率性を有することができる。
【００１６】
特に、普段はノズル開閉手段の遮断板と傾斜部との気密力に優れているため、薬液の漏れの懸念を解消し、ノズル開閉手段で頭皮を叩くに際して即座に開閉動作を行い、使用者が希望する定量の薬液を排出することができるので、優れた使用満足性を提供することができる。
【００１７】
さらに、容器本体上部に結合する蓋体、頭皮刺激手段及びノズル開閉手段の構造を簡単にするとともに、組み立て構造をも簡単にすることにより、製造生産性、組立生産性及び経済性を従来よりもより一層向上させることが可能となる。
【図面の簡単な説明】
【００１８】
【図１】本考案を容器本体に結合した状態の正面図である。
【図２】本考案の腰部斜視図である。
【図３】図２の分解斜視図である。
【図４】図２の正断面図である。
【図５】本考案の動作状態を示す正断面図であって、頭皮に接触する前の状態を示す図である。
【図６】本考案の動作状態を示す正断面図であって、頭皮に接触した状態を示す図である。
【考案を実施するための形態】
【００１９】
以下、添付図面を参照して、上述した本考案の好適な実施形態について具体的に説明する。
【００２０】
本考案の頭皮刺激棒付き育毛剤容器は、図１〜図６に示すように、内部に脱毛ケア薬液を貯留する容器本体１０と、前記容器本体の上部に結合する蓋体２０と、前記蓋体上部に結合する頭皮刺激手段３０と、前記蓋体及び頭皮刺激手段の中央に結合するが前記頭皮刺激手段の上方へ突出するように結合するノズル開閉手段４０と、を含んでいる。
【００２１】
前記蓋体２０では、内部中央にノズル孔２１を有する隔壁２２を形成し、前記隔壁によって上下の空間を区画するが、下部には容器本体に結合するための容器結合部２３を形成し、上部には頭皮刺激手段３０を結合するための結合溝部２４を形成する。
【００２２】
前記頭皮刺激手段３０では、上部には、頭皮を叩くに際して頭皮を刺激するとともに血液の循環及び薬液の吸収を促進することにより、脱毛防止、発毛促進を図る多数の頭皮刺激棒３２を突設し、中央には組立孔３１を形成し、外側には薬液を均等に分散排出する多数の薬液排出孔３３を形成する。
【００２３】
ここで、前記頭皮刺激手段３０では、上部を平面状に形成して頭皮刺激棒３２を同等の高さに突設する構造を有する。しかしながら、これは、様々な構造及び形状に変更することが可能であり、好ましくは、頭皮を叩くことにより頭皮を効果的に刺激できる構造を有する。
【００２４】
前記ノズル開閉手段４０は、蓋体のノズル孔２１と頭皮刺激手段の組立孔３１とを通して頭皮刺激手段の上方へ突出するように挿設されており、頭皮を叩くに際して弾発バネを圧縮しながら加圧動作を行うように構成する。前記蓋体の隔壁２２にはノズル孔の外側にテーパ状の傾斜部２１ａを形成し、前記ノズル開閉手段下部に遮断板４４を形成することで、前記遮断板の外周（外周の垂直面と水平面とが当接する周囲）が傾斜部に線接触して気密遮断するが、ノズル開閉手段が加圧動作を行うと即座に開放されるように構成する。
【００２５】
すなわち、前記ノズル開閉手段４０が開放動作すると、薬液が蓋体中央の傾斜部２１ａ−ノズル孔２１を通過し、頭皮刺激手段の円周上に形成された多数の薬液排出孔３３から四方に分散して排出されるように構成する。
【００２６】
特に、前記ノズル開閉手段４０は、頭皮刺激手段の組立孔３１に挿入される第１部材４１と、前記蓋体のノズル孔２１に挿入され、下部に遮断板４４を有する第２部材４３と、を備え、前記第１部材と前記第２部材とを上下に結合するように構成し、前記第１部材４１の下部と蓋体内の隔壁２２との間に挿設され、第１部材を弾支する弾発バネ４５を備える。
【００２７】
このとき、前記第１部材の下部には結合溝４１ａを形成し、第２部材の上部には第１部材の結合溝に挿入される結合突起４３ａを対応形成することで、第１部材４１及び第２部材４３を一体化するように構成する。
【００２８】
また、前記第２部材４３の外側には、円周上の等角位置に上下長手方向に沿って薬液を分散して排出する薬液排出案内溝４３ｂを形成する。
【００２９】
図面中、未説明符号４１ｂは、頭皮刺激手段の上方へ突出する第１部材４１上部の押さえ部を示すものである。
【００３０】
以下では、前記構成を有する本考案の動作および作用について説明する。
【００３１】
まず、本考案の組み立て過程を説明する。蓋体２０のノズル孔２１の下部からノズル開閉手段の第２部材４３を挿入して、ノズル孔の上部の第１部材４１と前記第２部材４３とを上下に結合する。
【００３２】
このとき、前記第１部材４１の下部と蓋体の隔壁２２との間に弾発バネ４５を挿入して結合する。
【００３３】
この状態で、前記蓋体２０上部の結合溝部２４に頭皮刺激手段３０を挿入して結合するが、このとき、前記第１部材上部の押さえ部４１ｂを、頭皮刺激手段の中央に形成された組立孔３１に挿入して、組立孔３１の上方へ突出するように組み立てる。
【００３４】
このように組み立てた後、脱毛ケア薬液を貯留する容器本体１０上部に蓋体の容器結合部２３を結合して完成する。
【００３５】
このように組み立てた本考案は、使用時に容器をひっくり返した状態で頭皮刺激手段３０を用いて頭皮を軽く叩くものである。
【００３６】
このように、前記頭皮刺激手段３０で頭皮を叩くと、前記頭皮刺激手段上部の頭皮刺激棒３２が頭皮を刺激しながら血液の循環を助けることになる。
【００３７】
同時に、前記頭皮刺激手段３０の上方へ突出しているノズル開閉手段の第１部材４１が加圧されて弾発バネ４５を圧縮しながら下降することになり、これと共に前記第１部材下部に連結されている第２部材４３が下降することになる。
【００３８】
このように、前記ノズル開閉手段の第２部材４３が下降するに伴い、第２部材下部の遮断板４４の外周が、蓋体のノズル孔２１の外側に形成されたテーパ状の傾斜部２１ａに線接触して気密遮断するが、ノズル開閉手段が加圧動作を行い始めると、即座に開放動作を行うようになる。
【００３９】
このように、前記ノズル開閉手段下部の遮断板４４がノズル孔の外側の傾斜部２１ａから下降して開放動作を行うに伴い、容器本体１０内の脱毛ケア薬液は、蓋体中央のテーパ状の傾斜部２１ａを沿って流れてノズル孔２１に排出された後、頭皮刺激手段の外側に形成されている薬液排出孔３３から四方に分散して頭皮に均等に塗布される。
【００４０】
特に、前記蓋体のノズル孔２１に挿入されているノズル開閉手段の第２部材４３は、円周上の等角位置に上下長手方向に沿って形成した薬液排出案内溝４３ｂを有するため、前記ノズル孔２１に排出された薬液を、案内溝４３ｂによって四方に分散して排出し、同時に頭皮刺激手段の外側の薬液排出孔３３からさらに効率よく分散して供給する。
【００４１】
また、前記容器を持ち上げて、ノズル開閉手段の第１部材４１を加圧していた外力を除去すると、第１部材が弾発バネ４５の復元力により弾発上昇して元の位置に復帰し、同時に第１部材下部に連結されていた第２部材４３が上昇復帰することで、第２部材下部の遮断板４４がノズル孔２１の外側の傾斜部２１ａに密着して気密遮断することになる。
【００４２】
特に、前記第２部材下部の遮断板４４の外周が、ノズル孔２１の外側に形成されたテーパ状の傾斜部２１ａに線接触して密着すると、即座に気密動作を行い、さらに確実に行うことにより、薬液を定量吐出することはもとより、薬液の漏れを防止することになる。
【００４３】
このように使用者が前記頭皮刺激手段３０によって頭皮を叩く動作を繰り返すと、その動作回数に応じてノズル開閉手段の第１部材４１及び第２部材４３が上下に昇降しながら開閉動作を行い、定量の薬液を繰り返して排出することになる。
【００４４】
したがって、本考案は、容器本体１０と、前記容器本体上部に結合する蓋体２０と、前記蓋体上部に結合する頭皮刺激手段３０と、前記頭皮刺激手段の中央に結合するノズル開閉手段４０と、を含み、前記ノズル開閉手段４０で頭皮を叩くに際して加圧されて薬液を排出するように構成されており、具体的には、ノズル開閉手段下部の遮断板４４が、ノズル孔の外側の傾斜部２１ａに線接触して普段は薬液の漏れを防止する気密構造を有するが、ノズル開閉手段で頭皮を叩くに際して即座に開放されて薬液を頭皮に円滑に排出し、さらに頭皮刺激手段の薬液排出孔３３から四方に均等に分散排出することにより、従来よりも使用効率性をより一層高めることができる。
【符号の説明】
【００４５】
１０  容器本体
２０  蓋体
２１  ノズル孔
２１ａ  傾斜部
２２  隔壁
２３  容器結合部
２４  結合溝部
３０  頭皮刺激手段
３１  組立孔
３２  頭皮刺激棒
４０  ノズル開閉手段
４１  第１部材
４１ａ  結合溝
４３  第２部材
４３ａ  結合突起
４４  遮断板
【図１】
0003221929.tif 000003
【図２】
0003221929.tif 000004
【図３】
0003221929.tif 000005
【図４】
0003221929.tif 000006
【図５】
0003221929.tif 000007
【図６】
0003221929.tif 000008